(57)【特許請求の範囲】
【請求項１】
外部の給水源と接続された給水管を介して、トイレに供給される水の給水及び止水を切り換える給水弁と、
前記トイレの給水又は排水の状態を検出するセンサと、
前記センサの検出結果に基づいて漏水を判定する漏水判定手段と、
前記漏水の判定結果に基づき、前記給水弁を制御して止水させる給水制御手段と、
ネットワークに接続され、前記漏水の判定結果に基づき、当該漏水の情報を前記ネットワークを介して所定のコンピュータに送信する通信手段と、
前記給水管から便器へ洗浄水を放出するフラッシュバルブと、
を備え、
前記給水制御手段が、所定の検査タイミングで前記給水弁を閉じるように制御し、前記フラッシュバルブを開いて洗浄水が流れるか否かに基づいて前記給水弁が正常に動作するか否かを検査するトイレシステム。
【請求項２】
前記センサが、前記トイレへ水を供給する給水管若しくは前記トイレから水を排出する排水管の外面又は前記トイレ内の床面において水の存在を検出する請求項１に記載のトイレシステム。
【請求項３】
前記センサが、電気的に離間して対向配置した一対の電極を備え、前記電極の間の空隙に前記漏水が浸入した場合の前記電極の間における電気的特性の変化を漏水の状態として検出し、
前記漏水判定手段は、前記センサによる前記電気的特性の変化が第一の閾値を超えた場合に、前記漏水が有ると判定し、
前記漏水が有ると判定された場合に、前記通信手段が、当該漏水の情報を送信する請求項１又は２に記載のトイレシステム。
【請求項４】
前記漏水判定手段は、前記センサによる前記電気的特性の変化が第二の閾値を超えた場合に、前記漏水が所定量以上有ると判定し、
前記漏水が所定量以上有ると判定された場合に、前記給水制御手段が、前記給水弁を制御して止水させる請求項３に記載のトイレシステム。
【請求項５】
前記漏水判定手段は、前記センサによる前記電気的特性の変化が第一の閾値を超えてから第二の閾値を超えるまでの時間に基づいて緊急度を判定する請求項４に記載のトイレシステム。
を有するトイレシステム。
【発明の詳細な説明】
【技術分野】
【０００１】
本発明は、トイレシステムに関する。
【背景技術】
【０００２】
トイレには、便器や洗面台へ給水する給水管や、便器や洗面台からの排水を外部へ排出する排水管が設けられており、この給水管や排水管が損傷すると、漏水が発生することがある。
【０００３】
例えば、樹脂製の給水管では、ウォーターハンマーによってクラックが入り、漏水が生じることがある。また、地震による配管のずれや、シール材の劣化等により、漏水が生じることもある。更に、排水管が詰まることで、便器や洗面台から排水が溢れることもある。
【０００４】
近年、トイレの床に排水口を設けることが少なくなってきており、漏水が生じると直ちに廊下への漏出や階下への滲出が生じてしまい、大きな問題となってしまう。
【０００５】
そこで、水漏れ事故が生じた場合に、ネットワークを介して事故情報を水漏れ対応制御サーバに通知し、水漏れ対応制御サーバが前記事故情報に対応した情報を工務店や保険会社に連絡するシステムが知られている（特許文献１）。
【先行技術文献】
【特許文献】
【０００６】
【特許文献１】特開２００２−１４０７８０号公報
【発明の概要】
【発明が解決しようとする課題】
【０００７】
従来のシステムでは、水漏れの発生や、その位置を検出し、工務店に連絡して修理を要請するものであった。このため、給水を止めて修理を開始するのは、連絡を受けた工務店の担当者が現場に到着してからになるため、この間に被害が拡大する恐れがあった。
【０００８】
そこで、本発明は、漏水を検出した場合に、給水を停止させると共に、漏水の状態を所定のコンピュータに送信することが可能な技術を提供することを目的とする。
【課題を解決するための手段】
【０００９】
本発明に係るトイレシステムは、
外部の給水源と接続された給水管を介して、トイレに供給される水の給水及び止水を切り換える給水弁と、
前記トイレの給水又は排水の状態を検出するセンサと、
前記センサの検出結果に基づいて漏水を判定する漏水判定手段と、
前記漏水の判定結果に基づき、前記給水弁を制御して止水させる給水制御手段と、
ネットワークに接続され、前記漏水の判定結果に基づき、当該漏水の情報を前記ネットワークを介して所定のコンピュータに送信する通信手段と、を有する。
【００１０】
前記トイレシステムにおいて、前記センサは、前記トイレへ水を供給する給水管若しくは前記トイレから水を排出する排水管の外面又は前記トイレ内の床面において水の存在を検出しても良い。
【００１１】
前記トイレシステムにおいて、前記センサは、電気的に離間して対向配置した一対の電極を備え、前記電極の間の空隙に前記漏水が浸入した場合の前記電極の間における電気的特性の変化を漏水の状態として検出し、
前記漏水判定手段は、前記センサによる前記電気的特性の変化が第一の閾値を超えた場合に、前記漏水が有ると判定し、
前記漏水が有ると判定された場合に、前記通信手段が、当該漏水の情報を送信しても良い。
【００１２】
前記トイレシステムにおいて、前記漏水判定手段は、前記センサによる前記電気的特性の変化が第二の閾値を超えた場合に、前記漏水が所定量以上有ると判定し、
前記漏水が所定量以上有ると判定された場合に、前記給水制御手段が、前記給水弁を制御して止水させても良い。
【００１３】
前記トイレシステムにおいて、前記漏水判定手段は、前記センサによる前記電気的特性の変化が第一の閾値を超えてから第二の閾値を超えるまでの時間に基づいて緊急度を判定してもよい。
【００１４】
前記トイレシステムにおいて、前記給水管から前記便器へ洗浄水を放出するフラッシュバルブを備え、
前記給水制御手段が、所定の検査タイミングで前記給水弁を閉じるように制御し、前記フラッシュバルブを開いて洗浄水が流れるか否かに基づいて前記給水弁が正常に動作するか否かを検査してもよい。
【００１５】
なお、上記した課題を解決するための手段に記載の内容は、本発明の課題や技術的思想を逸脱しない範囲で可能な限り組み合わせることができる。
【発明の効果】
【００１６】
本発明によれば、漏水を検出した場合に、給水を停止させると共に、漏水の状態を所定のコンピュータに送信することが可能な技術を提供できる。
【図面の簡単な説明】
【００１７】
【図１】実施の形態に係るトイレシステム全体の構成を説明する図である。
【図２】トイレの一例を示す図である。
【図３】トイレのトイレブース部分を示す斜視図である。
【図４】トイレのトイレブース部分を示す断面図である。
【図５】トイレの一部を示す平面図である。
【図６】漏水センサの構成を示す図である。
【図７】漏水センサの電極部分を示す図である。
【図８】トイレの機能ブロック図である。
【図９】コンピュータの装置構成図の一例である。
【図１０】漏水検出処理の一例を示す処理フローである。
【図１１】給水弁動作確認処理の一例を示す処理フローである。
【発明を実施するための形態】
【００１８】
＜システムの構成＞
以下、本発明の実施の形態について、図面に基づいて説明する。なお、実施の形態は本発明の一例であり、本発明の構成は以下の例には限られない。
【００１９】
図１は、本実施の形態に係るトイレシステム全体の構成を説明する図、図２は、トイレ１の一例を示す図である。本実施の形態に係るシステムは、トイレ１と、サーバ２と、制
御装置６と、漏水センサ１４２ｅとを有し、これらがインターネット等のネットワーク５を介して管理者端末３や通知先サーバ４と接続している。なお、制御装置６は、トイレ１に備えられていてもよいし、トイレ１と独立に存在してもよい。
【００２０】
トイレ１は、例えば百貨店等の商業施設や駅等に備えられた公衆が利用するトイレである。図２では１つの建物５０に設けられたトイレ１を示しているが、トイレ１は、複数の建物の各々に備えられても良い。また、トイレ１は、トイレ内に設けられたセンサ等によりデータを取得し、例えば所定の間隔でサーバ２に送信する。
【００２１】
サーバ２は、トイレ１から情報を収集したり、トイレ１に設けられた機器の設定を変更するための情報を送信したりする。また、管理者端末３は、トイレ１に関するサービスの提供者がシステムに接続するためのコンピュータである。サーバ２が収集したデータは、例えば、管理者端末３によって読み出され、集計されたり、異常がないか検証される。また、トイレ１に設けられた機器の設定を、ネットワーク５を介して変更できるようにしてもよい。例えば、管理者端末３からサーバ２へ設定の変更を指示する情報を登録しておき、所定のタイミングでサーバ２からトイレ１へ変更を反映させるための情報を送信する。
【００２２】
また、通知先サーバ４は、トイレ１において異常が検知された場合にその旨を通知する宛先のコンピュータである。トイレ１において所定の状態が検知された場合、その都度トイレ１からサーバ２へ情報を送信し、サーバ２が例えば電子メールを通知先サーバ４へ送信する。なお、サーバ２、管理者端末３及び通知先サーバ４の数も１つには限られない。
【００２３】
図３は、トイレ１のトイレブース部分を示す斜視図、図４は、トイレ１のトイレブース部分を示す断面図、図５は、トイレ１の一部を示す平面図である。トイレ１は、建物５０の複数階に設置され、各階のトイレ１へ水を供給する給水管６１や、各階のトイレ１からの排水を排出する排水管６２が配管スペース５１に配設されている。給水管６１は、外部の給水源と接続され、配管スペース５１に設けられた給水縦管６１１や、給水縦管６１１から各階のトイレ１へ分岐して設けられた給水枝管６１２を有している。給水縦管６１１の上流部には給水弁６３が設けられ、各給水枝管６１２の上流部、即ち給水縦管６１１から分岐した直後の部分には給水弁６４が設けられている。給水弁６３，６４は、電動で弁を開閉し、給水及び止水の切り換えが可能である。このため、給水弁６４を止水に切り替えることで、当該給水弁６４が設けられた階のトイレ１への水の供給を停止し、給水弁６３を止水に切り替えることで全てのトイレ１への水の供給を停止することができる。
【００２４】
また、排水管６２は、外部の排水本管と接続され、配管スペース５１に設けられた排水縦管６２１や、各階のトイレ１に設けられ、排水縦管６２１と接続された排水枝管６２２を有している。
【００２５】
この配管スペース５１下部の床面上には、漏水センサ１４２ｅを備えている。これにより、給水縦管６１１や排水縦管６２１から水が漏れ、床面上に達した場合に、漏水センサ１４２ｅが漏水を検出する。なお、漏水センサ１４２ｅの設置位置は、床面上に限らず、給水縦管６１１や排水縦管６２１から漏れた水が流れる場所であれば、壁面や、給水縦管６１１又は排水縦管６２１の外面であってもよい。また、最下部だけでなく、給水縦管６１１や排水縦管６２１の各階に応じた途中部に設け、どこの階の部分で漏水が生じたのかを検出できるようにしてもよい。
【００２６】
図４、図５に示すように、各階のトイレ１では、便器の設置面となる内壁７２をトイレ１の壁面７１から所定の距離を隔てて設置し、ライニング（配管スペース）７３を形成して、このライニング７３内に給水枝管６１２や排水枝管６２２を配設している。また、図４の例では、床下にも排水枝管６２２を通し、床面７５上に水が流れると、この水が床面
７５に設けたスリット状の開口部７５１から排水細管６２３を介して排水枝管６２２へ流れる構成としている。
【００２７】
図４、図５に示すライニング７３内の給水枝管６１２や排水枝管６２２の下方の床面上には、漏水センサ１４２ｅが備えられている。これにより、給水枝管６１２や排水枝管６２２から水が漏れ、床面上に達した場合に、漏水センサ１４２ｅが漏水を検出する。なお、漏水センサ１４２ｅの設置位置は、床面上に限らず、給水枝管６１２や排水枝管６２２から漏れた水が流れる場所であれば、壁面や、給水枝管６１２又は排水枝管６２２の外面であってもよい。例えば、漏水センサ１４２ｅを給水枝管６１２及び排水枝管６２２に巻き付けて設置しても、下面に貼付して設置してもよい。
【００２８】
図６は、漏水センサ１４２ｅの構成を示す図、図７は、漏水センサ１４２ｅの電極部分を示す図である。漏水センサ１４２ｅは、帯状に形成された電極部４１と、電極部４１に水が触れた際の電気的変化を検出する検出部４２と、電極部４１と検出部４２とを接続するケーブル４３とを有している。図６では、複数の電極部４１を並列に接続した例を示している。なお、これに限らず、複数の電極部４１を直列に接続しても、電極部４１を一つのみ接続してもよい。
【００２９】
電極部４１は、一対の電極４１１が空隙４１２を間に挟んで電気的に離間して対向配置されている。この一対の電極４１１間に水が触れ、例えば一対の電極４１１が導通した場合に検出部４２が水の存在を検出する。なお、空隙４１２は、単なる空間に限らず、網やスポンジ等、毛細管現象で水を保持する部材を有してもよい。
【００３０】
また、漏水センサは、図６、図７に示した電極４１１の導通を検知する方式に限らず、漏水を検出し、電気信号として制御装置６に入力可能であれば、他の方式のセンサであっても良い。例えば、便器、洗面台、オストメイト等、給水又は排水の流路となる器具の使用状態と給水管に設けた流量計で検出した流量から漏水を推定しても良い。例えば、当該測定対象の器具が給水を利用していない状態（停止状態）、即ち便器であれば洗浄水を流していない状態のときに、給水管に設けた流量計で水が流れていることが検出された場合、漏水が有ると検出する。また、給水管に流量計を設けることに限らず、排水管に流量計を設け、対象機器が停止状態のときに排水が流れている場合に漏水が有ると検出してもよい。
【００３１】
図４、図５に示すように床下に排水管６２（排水細管６２３、排水枝管６２２）を設けた場合、この排水管６２に流量計や水位計を設け、この排水管６２（排水細管６２３、排水枝管６２２）に排水が流れたことを流量計や水位計検出した場合に漏水が有ると検出して制御装置６に入力しても良い。これにより、便器等から床に水が溢れて排水管６２（排水細管６２３、排水枝管６２２）に流れた場合に、漏水として検出できる。なお、床下に排水管６２に設けた流量計や水位計は、床に水を流して掃除する際は漏水の検出をＯＦＦにし、掃除以外で排水が流れて水位や水量を検出した場合に漏水として検出しても良い。
【００３２】
制御装置６は、マイクロコントローラやＣＰＵ（Central Processing Unit）等のよう
な、プログラムを実行する処理装置であり、本実施の形態に係る処理を制御する。制御装置６は、図示していないデータ記憶部１３と接続されており、データの読み出しや書き込みを行うことができる。制御装置６は、本発明における情報収集手段や、給水制御手段、漏水判定手段に相当する。
【００３３】
情報収集手段は、トイレ内に設置されたセンサが出力するセンシングデータを取得して記憶部に記憶させる。例えば、情報収集手段は、人感センサが人物を検知した回数又は流
量センサが検知した洗浄水の流量をセンシングデータとして取得し、また、トイレのドアの施錠を検知するドアロックセンサ及び便座への着座を検知する着座センサの少なくとも一方からセンシングデータを取得し、記憶部に記憶させる。
【００３４】
漏水判定手段は、漏水センサの検出結果に基づいて漏水を判定する。給水制御手段は、漏水の判定結果に基づき、例えば漏水が所定量以上有ると判定された場合に、給水弁を制御して止水させる。
【００３５】
また、制御装置６は、ネットワーク通信部１２を介して他の装置との通信を行う。ネットワーク通信部１２は、携帯電話回線網又はイントラネット等を介してネットワーク５に接続するためのネットワークアダプタである。例えば、ネットワーク通信部１２とサーバ２とは、携帯電話回線の３Ｇ（3rd Generation）を利用して、ＨＴＴＰ通信を行う。ネットワーク通信部１２は、本発明における通信手段に相当する。ネットワーク通信部１２は、漏水の判定結果に基づき、当該漏水の情報を前記ネットワークを介して所定のコンピュータ、本例ではサーバ２に送信し、サーバ２が通知先サーバ４へ漏水の情報を送信する。なお、これに限らず、ネットワーク通信部１２が、漏水の情報を管理者端末３や通知先サーバ４へ通知しても良い。
【００３６】
トイレ１はトイレブース１４を備えている。トイレブース１４は、便器等の機器を備える空間であり、例えば個室状に仕切られている。なお、男性用の小便器の周囲の空間を、トイレブース１４としてもよい。また、トイレ１は、トイレブース１４を複数備えていてもよく、１つの制御装置６が、同一フロアの男性用トイレ、女性用トイレ及び多目的トイレ等、周辺の領域に存在する複数のトイレブース１４を制御するようにしてもよい。
【００３７】
トイレブース１４には、制御部１４１と、センサ１４２（例えば、人感センサ１４２ａ、流量センサ１４２ｂ、ドアロックセンサ１４２ｃ、着座センサ１４２ｄ及び漏水センサ１４２ｅ）と、図示していないデータ記憶部１４３が設けられている。制御部１４１は、センサ１４２が検知した情報をデータ記憶部１４３に記憶させる。データ記憶部１４３は、本発明における設定記憶部としても働き、データ記憶部１４３に記憶されている設定に基づいて、トイレブース１４に備えられている機器が動作する。例えば、データ記憶部１４３に記憶されている、便座温度、温水洗浄便座の水勢、水温、ノズル位置又は方向、トイレ用擬音装置の音、芳香剤の種類等の情報に基づいて、便座ヒータ、温水洗浄便座、トイレ用擬音装置、芳香剤拡散装置等が動作する。なお、センサ１４２として、水位センサ等を備えていてもよい。
【００３８】
ここで、人感センサ１４２ａは、赤外線等により人が所定の距離内に近づいたことを検知することができる。また、流量センサ１４２ｂは、洗浄水の流量を測定する。流量センサ１４２ｂは、例えば、洗浄水の放流に伴い回転する回転翼車の回転数を計数し、当該回転数に基づいて流量を算出する。流量センサ１４２ｂは、複数の便器に洗浄水を供給する給水管（給水路）や、各便器に個別に接続された給水管や洗浄水を放流するフラッシュバルブ７８等の複数個所に設けられてもよい。また、流量センサ１４２ｂは、排水管に設けられ、排水の流量を測定してもよい。ドアロックセンサ１４２ｃは、ドアの施錠又は開錠を検知する。着座センサ１４２ｄは、例えば便座上に設けられた赤外線センサ等の人感センサ又は便座に設けられた圧力センサであり、トイレの利用者が便座に座ったことを検知する。
【００３９】
また、制御部１４１は、トイレ１の制御装置６と有線又は無線により接続されており、制御部１４１は、データ記憶部１４３に記憶されている情報を制御装置６に送信する。トイレブース１４の制御部１４１とトイレ１の制御装置６とは通信ケーブル（例えば、多対多の通信が可能なＲＳ４８５インターフェイス）、いわゆるＬＡＮケーブルのようなツイ
ストペアケーブル、その他の有線ケーブル、無線ＬＡＮやBluetooth（登録商標）等のよ
うな無線通信方式により接続することができる。また、各トイレブース１４の制御部１４１には少なくともトイレ１内で一意の識別情報が設定され、制御装置６は任意の制御部１４１と通信することができる。
【００４０】
図８に、トイレ１の機能ブロック図を示す。トイレ１は、制御装置６と、ネットワーク通信部１２と、データ記憶部１３と、トイレブース１４とを有する。制御装置６は、上述した処理装置であり、本実施の形態に係る処理を制御する。また、ネットワーク通信部１２は、上述したネットワークアダプタであり、ネットワーク５を介してサーバ２と通信を行う。データ記憶部１３は、例えばＨＤＤ（Hard Disk Drive）やＳＳＤ（Solid State Drive）、フラッシュメモリ等の記憶装置であり、センサ１４２が出力したデータを収集して記憶する。なお、トイレ１は、トイレブース１４を複数備えていてもよい。
【００４１】
また、トイレブース１４は、制御部１４１と、センサ１４２と、データ記憶部１４３とを有する。なお、センサ１４２を複数備えていてもよい。制御部１４１は、センサから出力された情報をデータ記憶部１４３に記憶させ、所定のタイミングで制御装置６に出力する。また、制御部１４１は、トイレの機器に関する設定情報を制御装置６から受信し、データ記憶部１４３に記憶させることにより設定を変更する。
【００４２】
図９に、コンピュータの装置構成図の一例を示す。サーバ２、制御装置６、管理者端末３及び通知先サーバ４は、図９に示すようなコンピュータである。コンピュータは、例えば、ＣＰＵ（Central Processing Unit）１００１、主記憶装置１００２、補助記憶装置
１００３、通信ＩＦ（Interface）１００４、入出力ＩＦ（Interface）１００５、ドライブ装置１００６、通信バス１００７を備えている。ＣＰＵ１００１は、プログラムを実行することにより本実施の形態で説明する処理を行う。主記憶装置１００２は、ＣＰＵ１００１が読み出したプログラムやデータをキャッシュしたり、ＣＰＵの作業領域を展開したりする。主記憶装置は、具体的には、ＲＡＭ（Random Access Memory）やＲＯＭ（Read Only Memory）等である。補助記憶装置１００３は、ＣＰＵ１００１により実行されるプログラムや、本実施の形態で用いる設定情報などを記憶する。補助記憶装置１００３は、具体的には、ＨＤＤやＳＳＤ、フラッシュメモリ等である。通信ＩＦ１００４は、他のコンピュータ装置との間でデータを送受信する。通信ＩＦ１００４は、具体的には、有線又は無線のネットワークカード等である。入出力ＩＦ１００５は、入出力装置と接続され、コンピュータのユーザから入力を受け付けたり、ユーザへ情報を出力したりする。入出力装置は、具体的には、キーボード、マウス、ディスプレイ又はタッチパネル等である。ドライブ装置１００６は、フレキシブルディスク、ＣＤ（Compact Disc）、ＤＶＤ（Digital Versatile Disc）等の記録媒体に記録されたデータを読み出したり、記録媒体にデータを書き込んだりする。以上のような構成要素が、通信バス１００７で接続されている。なお、これらの構成要素は複数設けられていてもよいし、一部の構成要素（例えば、ドライブ装置１００６）を設けないようにしてもよい。また、入出力装置がコンピュータと一体に構成されていてもよい。
【００４３】
＜漏水検出処理＞
次に、システムが実行する漏水検出処理について説明する。図１０は、トイレ１の制御装置６が実行する漏水検出処理の一例を示す処理フローである。制御装置６は図１０の漏水検出処理を定期的に或は所定のタイミングで繰り返し実行する。
【００４４】
図１０の漏水検出処理を開始すると、制御装置６は、先ず、漏水センサ１４２ｅの検出結果を取得し（ステップＳ２０）、漏水の有無を判定する（ステップＳ３０）。即ち、給水管６１や排水管６２から水が漏れて漏水センサ１４２ｅに達し、漏水センサ１４２ｅが水の存在を検出した場合に、漏水有りと判定する。ここで、漏水無しと判定した場合には
（ステップＳ３０、Ｎｏ）、図１０の処理を終了し、漏水有りと判定した場合には（ステップＳ３０、Ｙｅｓ）、ステップＳ３５へ移行する。
【００４５】
ステップＳ３５において、制御装置６は、漏水センサ１４２ｅの閾値を第二の閾値に変えて検出結果を再度取得する。そして、漏水センサ１４２ｅの検出結果が第二の閾値を超えた場合に、所定量以上の漏水が有ると判定する（ステップＳ４０）。例えば、漏水センサ１４２ｅの電極４１１間に水が接触して導通し、電極４１１間の電気伝導度や抵抗値が第一の閾値を超えた場合に漏水有りと判定し（ステップＳ３０）、第二の閾値を超えた場合に所定量以上の漏水が有ると判定する（ステップＳ４０）。なお、第一の閾値、第二の閾値は、電極４１１間の導通の程度を示す値であり、第二の閾値は、第一の閾値とくらべて、導通の程度が高い値、即ち、漏水の量が多く、電極４１１間の電流が流れやすい状態を示す値である。各閾値より電気が流れやすい状態となった場合に当該閾値を超えたと判定する。例えば、第二の閾値は、第一の閾値とくらべて、低い抵抗値や、高い電気伝導度である。また、第二の閾値を超えた場合、制御装置６は、第一の閾値を超えてから第二の閾値を超えるまでの時間に基づいて緊急度を求めても良い。例えば、第一の閾値を超えてから第二の閾値を超えるまでの経過時間が短ければ、緊急度が高く、当該経過時間が長ければ緊急度が低くなるように、経過時間に応じた緊急度を求める。
【００４６】
制御装置６は、漏水センサ１４２ｅの検出結果が第二の閾値を超え、所定量以上の漏水が有ると判定した場合（ステップＳ４０、Ｙｅｓ）、給水弁６３又は給水弁６４を制御して、漏水している箇所の給水を停止する（ステップＳ５０）。即ち、特定の階のトイレ１で漏水を検出した場合には、当該階の給水弁６４を止水に切り替える。特定の階のトイレ１で漏水を検出した場合には、当該階の給水弁６４を止水に切り替える。一方、給水縦管６１１や排水縦管６２１の全トイレ１に係る箇所で漏水が発生した場合には、給水弁６３を止水に切り替える。
【００４７】
なお、ステップＳ４０で所定量以上の漏水が無いと判定した場合（ステップＳ４０、Ｎｏ）、制御装置６は、止水せずにステップＳ６０へ移行する。
【００４８】
そして、制御装置６は、漏水を検出した漏水センサ１４２ｅの設置位置によって、漏水の位置を特定し、この漏水の位置や、漏水の量（第２の閾値を超えたか否か）、止水の有無、止水を行った場合に止水した位置、緊急度などを漏水の情報としてサーバ２へ送信する（ステップＳ６０）。なお、サーバ２は、この漏水の情報を通知先サーバ４へ送信する。
【００４９】
＜給水弁動作確認処理＞
上記のように、本実施形態では、所定量以上の漏水が生じた場合に給水弁６３，６４を止水に切り替えるが、給水弁６３，６４は、長期間動作させないと錆やミネラルが固着して開閉できなくなることがある。給水弁６３，６４が閉じられない状態になっていると、漏水を検知しても止水に切り替えることができないため、本実施形態では、夜間や休日など、定期的に給水弁６３，６４の動作を確認する処理を行う。即ち図１１の動作を行う。
【００５０】
図１１の動作を開始すると、制御装置６は、確認対象の給水弁６３，６４を止水に切り替える（ステップＳ１２０）。なお、給水弁６３，６４は、１つずつ確認対象としてもよいし、並列に接続されている給水弁６４を同時に確認対象としてもよい。
【００５１】
次に、制御装置６は、確認対象の給水弁６３，６４が設けられた給水管６１に接続されているフラッシュバルブ７８を制御して洗浄水を流す動作をさせ（ステップＳ１３０）、フラッシュバルブ７８の流量計により、洗浄水の流量を検出し（ステップＳ１４０）、洗浄水が流れるか否かを判定する（ステップＳ１５０）。ここで、洗浄水の流量が所定値以
下の場合、即ち洗浄水が流れない状態であれば、正常に止水が行われているので、図１１の処理を終了する（ステップＳ１５０、Ｎｏ）。一方、洗浄水の流量が所定値以上の場合、即ち洗浄水が流れる状態であれば、正常に止水が行われていないので（ステップＳ１５０、Ｙｅｓ）、動作不良であることをサーバ２に送信する（ステップＳ１６０）。
【００５２】
＜通知処理＞
また、本システムは、上記漏水の情報に加え、センサ１４２を介して収集した種々のデータ（「センシングデータ」とも呼ぶ）を、トイレ１がサーバ２に送信する。本処理によってサーバ２に蓄積されるデータは、管理者端末３等からダウンロードすることができ、管理者端末３を操作する管理者は、トイレ１の状態を把握したり、分析したりすることができる。また、センサ１４２を介して、例えば異常と判断される所定の状態を検知した場合、速やかに通知先サーバ４へ通知したり、サーバ２に情報を蓄積したりする。
【００５３】
まず、センサ１４２は、それぞれ情報を検知すると、検知した情報をデジタル信号に変換して制御部１４１に出力する。一方、制御部１４１は、センサ１４２が出力した情報をデータ記憶部１４３に記憶させる。
【００５４】
センサ１４２が人感センサである場合、制御部１４１は、トイレの利用者の人数（すなわち、人感センサが人物を検知した回数）をデータ記憶部１４３に記憶させる。また、センサ１４２が流量センサである場合、制御部１４１は、便器に流された洗浄水の流量の合計をデータ記憶部１４３に記憶させる。センサ１４２がドアロックセンサである場合、制御部１４１は、ドアがロックされているか否かを示す情報をデータ記憶部１４３に記憶させ、ドアがロックされているときは、ドアがロックされてからの経過時間を計数する。センサ１４２が着座センサである場合、制御部１４１は、便座に人が座っているか否かを示す情報をデータ記憶部１４３に記憶させ、便座に人が座っているときは、着座を検知してからの経過時間を計数する。なお、ドアがロックされてからの経過時間や、着座を検知してからの経過時間は、例えば制御装置６や制御部１４１が有するタイマを用いて計数することができる。
【００５５】
また、制御部１４１は、所定の間隔で、データ記憶部１４３に記憶されている情報をトイレ１の制御装置６に出力する。そして、制御装置６がサーバ２へ送信し、サーバ２が通知先サーバ４へ送信する。
【００５６】
本実施形態によれば、管理者端末３を操作する管理者、及び通知先サーバ４の担当者は、遠隔地からトイレ１の状況を詳細に把握できる。特に、漏水の発生を直ちに知ることができ、迅速な対応が可能になる。
【００５７】
本実施形態によれば、漏水の情報として、漏水の位置や、漏水の量、給水弁の制御状況（止水したか否か）、緊急度を通知できるので、漏水を通知された担当者が適切な対応をとることができる。
【符号の説明】
【００５８】
１    トイレ
２    サーバ
３    管理者端末
４    通知先サーバ
５    ネットワーク
６    制御装置
１２    ネットワーク通信部
１３    データ記憶部
１４    トイレブース
５０    建物
５１    配管スペース
６１    給水管
６３，６４    給水弁
７８    フラッシュバルブ
１４１    制御部
１４２    センサ
１４２ａ    人感センサ
１４２ｂ    流量センサ
１４２ｃ    ドアロックセンサ
１４２ｄ    着座センサ
１４２ｅ    漏水センサ
１４３    データ記憶部
４１１    電極
４１２    空隙
６１１    給水縦管
６１２    給水枝管
６２１    排水縦管
６２２    排水枝管
６２３    排水細管
【図１】
0006624366.tif 000002
【図２】
0006624366.tif 000003
【図３】
0006624366.tif 000004
【図４】
0006624366.tif 000005
【図５】
0006624366.tif 000006
【図６】
0006624366.tif 000007
【図７】
0006624366.tif 000008
【図８】
0006624366.tif 000009
【図９】
0006624366.tif 000010
【図１０】
0006624366.tif 000011
【図１１】
0006624366.tif 000012